(57)【特許請求の範囲】
【請求項１】
バラセメント収納部とこのバラセメント収納部からのバラセメントを所定量袋詰めする自動袋詰手段を備えてなるセメント袋詰め車輌と、このセメント袋詰め車輌にバラセメントを供給するバラセメント貯留基地とを用意し、袋詰めセメント購入希望者からの注文に応じて車輌乗員が前記セメント袋詰め車輌における自動袋詰手段を用いて必要数量袋詰めしこれを直接袋詰めセメント購入希望者に配送するとともに、前記セメント袋詰め車輌には、バラセメント収納部からのセメントを自動袋詰手段へ送出する他、車輌外部に送出するための切換手段を備えてなることを特徴とするセメント流通システム。
【請求項２】
セメント袋詰め車輌には、袋詰めセメント購入希望者からの注文を受ける管理本部のコンピュータと無線接続する携帯端末を備えるとともに、前記管理本部はセメント袋詰め車輌に対しその配送管理を前記携帯端末を通じて指示することを特徴とする請求項１記載のセメント流通システム。
【請求項３】
セメント袋詰め車輌に備える携帯端末は、袋詰めセメントの納品を入力することで代金決済の情報を管理本部のコンピュータに伝えることを特徴とする請求項２記載のセメント流通システム。
【請求項４】
自動袋詰手段は、バラセメントを秤量して充填する自動定量充填機に、開口部分の内部に弁体を備え充填後に横転させるとバラセメントが前記弁体を押さえて封口する内弁式袋をセットして袋詰めを行うことを特徴とする請求項１乃至３記載のセメント流通システム。
【発明の詳細な説明】
【０００１】
【発明の属する技術分野】
本発明は、袋詰めされたセメントの流通システムに関するものであり、特にその流通システムを大幅に簡素化して高品質な袋詰めセメントの迅速でスムースな流通を図ることができるセメント流通システムに関するものである。
【０００２】
【従来の技術】
従来、市場で流通するセメントの形態としては、大口需要者に対して粉体セメント（バラセメント）を、セメント搬送車に積載したバラセメント収納部に収納して搬送する方法と、建材店等の小売店や小口需要者に対して袋詰めセメントをトラックに積載して搬送する方法とが存在している。
【０００３】
このうち袋詰めセメントにおける従来の流通システムとしては、粉体のバラセメントをセメントの製造工場から袋詰め工場（若しくは製造工場内の袋詰め部門）へと搬送し、ここで袋詰めされた袋詰めセメントは、地域を統括する大規模なサービスセンターへ大型な１０トントラック等で搬送される。そして、このサービスセンターから（若しくはさらに小規模なサービスセンターを中継して）建材店等の小売店や小口需要者に対し、注文に応じてその都度袋詰めセメントが小型トラック等で配送されている。
【０００４】
【発明が解決しようとする課題】
袋詰めセメントは、バラセメントの耐湿性と取り扱い性を考慮したものであるが、袋詰めといえども長期間の保管では湿気を吸収することによりセメントの品質が劣化する恐れがあることから、建材店等の小売店において大量に在庫することが適さず、また大量に在庫することは場所と費用が掛かる倉庫を用意する必要があることから、小口注文を頻繁に行わざるを得なかった。また、上述した従来の袋詰めセメントの流通システムにあっては、サービスセンターでの袋詰めセメントの管理に広大な場所も含めて多大なコストと手間が掛かるとともに、サービスセンターから購入希望者への小口配送にも多大な時間と手間を要するものであり、このため市場からの要求のある袋詰めセメントの販売価格低減にも対応しかねていた。
【０００５】
そこで本発明は、袋詰めセメントの流通システムを簡素化することで流通に掛かる人手と時間とコストを大幅に低減させ、高品質のセメントを迅速かつスムースに所望数量配送することができるセメント流通システムの提供を目的とする。
【０００６】
【課題を解決するための手段】
上記目的を達成するため、本発明のセメント流通システムは、バラセメント収納部とこのバラセメント収納部からのバラセメントを所定量袋詰めする自動袋詰手段を備えてなるセメント袋詰め車輌と、このセメント袋詰め車輌にバラセメントを供給するバラセメント貯留基地とを用意し、袋詰めセメント購入希望者からの注文に応じて車輌乗員が前記セメント袋詰め車輌における自動袋詰手段を用いて必要数量袋詰めしこれを直接袋詰めセメント購入希望者に配送するとともに、前記セメント袋詰め車輌には、バラセメント収納部からのセメントを自動袋詰手段へ送出する他、車輌外部に送出するための切換手段を備えてなることを特徴とするものである。
【０００７】
また、セメント袋詰め車輌には、袋詰めセメント購入希望者からの注文を受ける管理本部のコンピュータと無線接続する携帯端末を備えるとともに、前記管理本部はセメント袋詰め車輌に対しその配送管理を前記携帯端末を通じて指示することを特徴とするものである。
【０００８】
また、セメント袋詰め車輌に備える携帯端末は、袋詰めセメントの納品を入力することで代金決済の情報を管理本部のコンピュータに伝えることを特徴とするものである。
【０００９】
また、自動袋詰手段は、バラセメントを秤量して充填する自動定量充填機に、開口部分の内部に弁体を備え充填後に横転させるとバラセメントが前記弁体を押さえて封口する内弁式袋をセットして袋詰めを行うことを特徴とするものである。
【００１０】
【発明の実施の形態】
図１は、本発明に係るセメントの流通システムを示しており、このシステムにあっては管理本部がセメント流通の中心となって建材店等の小売店からの受注を一括管理するとともに、セメントの配送を新規なセメント袋詰め車輌１に対して指示することを重要なポイントとしている。そして、このセメント袋詰め車輌１は、図２に示すごとく、１０ｔ程度の容量のバラセメント収納部２と、そのバラセメントを袋詰めするための１ｔ程度の容量のホッパー状のタンク４を備えた自動袋詰機３とをトレーラーに搭載するものである。尚、バラセメント収納部２に収納するセメントとしては、１００％のセメントに限定されることなく、セメントに各種添加剤等を混入させた粉粒体としてもよいものである。
【００１１】
詳細には、セメント袋詰め車輌１の自動袋詰機３は、上記タンク４の他に特に図示しないが、バラセメントを詰めるための袋（内弁式袋）を１枚ずつ取り出して開口させる自動給袋機と、この袋内にバラセメントを秤量して充填する自動定量充填機とから構成されているものである。この内弁式袋は、上辺の一部に形成した開口部の内部に内蓋となる弁体を備えており、この開口部にノズルを挿入して充填した後に袋を横転させると、バラセメントが弁体を押さえて封口するというものであり、開口部を綴じる必要がないものである。尚、省スペース化等のために自動給袋機を備えず、袋のセッティングを手動で行うようにしてもよい。
【００１２】
また、セメント袋詰め車輌１における自動袋詰機３の搭載個所については、図２に示す車輌の中央付近に限られることなく、図３のセメント袋詰め車輌５の他の実施例に示すごとく、車輌の後部としてもよいものである。自動袋詰機３を車輌中央に配置した場合には、重量バランスに優れ、また車両後部に配置した場合には袋詰めに係る操作性が向上するものである。そしてタンク４には、収納セメントの量を検出するセンサーを設けて、バラセメント収納部２からバラセメントを常に圧送するものである。また、特に図示しないが、セメント袋詰め車輌１には、バラセメント収納部２内のバラセメントを圧送するためのコンプレッサー、タンク４内に舞い上がるセメント粉を集める集塵機、袋詰め操作を行うための操作盤、内弁式袋を載置して秤量する台秤、この台秤での計測値（袋セメントの重量）に応じてタンク４からのバラセメントの吐出量を自動制御する制御回路、内弁式袋にバラセメントを吐出するノズルの近傍に設置して袋の外に舞い上がるセメント粉を吸引する集塵装置、車輌の直流電源を自動袋詰機３駆動用の交流電源に変換する変換機等を備えるものである。尚、袋へのセメントの充填量については、例えば２５ｋｇ詰めの場合には、２５．５ｋｇ程度を制御回路に設定する中心値とすることで充填が多少ばらついても充填量が規格値を下回らないようにするものである。
【００１３】
さらに、このセメント袋詰め車輌１には、バラセメント収納部２内のバラセメントをタンク４に送出するだけでなく、バラセメントをホース６で外部に送出するために切換手段７を備えている。すなわち、本発明のセメント袋詰め車輌１にあってはバラセメントを袋詰めするのみならず、バラセメントのまま納品する際にも利用することができ、さらには例えば作業終了後にバラセメント収納部２内に残留したバラセメントをきれいに排出した上で、次回の納品の前に新しいバラセメントを積載するということもできるものである。
【００１４】
このセメント袋詰め車輌１の運転と袋詰め操作を行う車輌乗員は、セメントの流通を管理する管理本部とのコミュニケーション用に携帯端末を所有している。この携帯端末は、管理本部とのデータ通信や電子メールのためのパケット通信を行える携帯電話を備えるとともに、決済のためのデータ入力用のテンキー、カードリーダーや、レシート等を発行するプリンタ機能を備えるものである。そして、図１に示すごとく、セメント袋詰め車輌１の車輌乗員はセメントの流通を管理する管理本部からの指示に基づき、セメント工場若しくはサービスセンターにおいてバラセメントをバラセメント収納部２に収納するとともに、管理本部からの指示を携帯端末で受けて袋詰めセメントの購入希望者である建材店等の小売店に配送すべく走行する。
【００１５】
そして、前記車輌乗員は指示された袋詰めセメントの購入希望者のところで（若しくはセメント袋詰め車輌に袋詰めセメントの収納域が存在する場合には、配送先に到着する前に予め自動袋詰機を用いてバラセメントを袋詰めしておいてもよい）、セメント袋詰め車輌１の自動袋詰機３を操作し、必要数量のセメントを袋詰めして購入希望者に納品する。納品に関する決済処理は、紙伝票で行わずに前記携帯端末を用いるものであり、例えば携帯端末で納品書を発行するとともに、購入希望者ごとのユーザーカードを携帯端末のカードリーダーでスキャンさせることでその売上データがパケット通信により管理本部に送信され、管理本部の管理サーバーに売上計上される。購入希望者の決済方法には、（１）通常の月締めで請求書発行、振込（手形）、（２）現金払い、（３）クレジットカード、デビットカードの使用等の選択肢があり、いずれの場合も携帯端末から管理本部に対し決済方法が送信される。購入希望者が代金決済にクレジットカード等を利用する場合には、携帯端末のカードリーダーでスキャンさせ、パケット通信によりクレジット等の与信・照会を行い管理本部のクレジット等の決済サーバーで処理され、そのレシートを携帯端末が発行するものである。
【００１６】
このようにして、１個所で袋詰めセメントの納品と決済処理が済むと、管理本部はセメント袋詰め車輌１の車輌乗員の携帯端末に対して次の購入希望者への配送を指示する（予め１日分等の配送内容が指示されていてもよい）。管理本部は、購入希望者の配送場所を勘案してセメント袋詰め車輌１が最短ルート、最短時間で配送できるように車輌乗員に指示するものであり、またバラセメント収納部のセメント積載量と納品量とを計算し、どの時点でセメント工場若しくはサービスセンターにおけるバラセメントを入荷するかをも車輌乗員に指示するものである。また、このセメント工場等でのバラセメントの入荷データについても携帯端末により管理本部に送信するものである。
【００１７】
尚、上述した実施例にあっては、セメント袋詰め車輌がバラセメントを袋詰めして納品することについて説明したが、袋詰めセメントのみならず需要に応じてバラセメントそのものを秤量して納品してもよいものである。
【００１８】
【発明の効果】
以上詳述した如く、本発明のセメント流通システムによれば、袋詰めセメントの流通システムを簡素化することで工場での袋詰めの手間が削減され、かつ流通段階での無駄な袋詰めセメントの在庫がなくなり、流通に掛かる人手と時間とコストを大幅に低減させ、高品質のセメントを効率的に迅速かつスムースに所望数量配送することができるものである。
【００１９】
また、セメント袋詰め車輌には、袋詰めセメント購入希望者からの注文を受ける管理本部のコンピュータと無線接続する携帯端末を備えるとともに、前記管理本部はセメント袋詰め車輌に対しその配送管理を前記携帯端末を通じて指示することで、管理本部はセメント袋詰め車輌を効率よく配送させることができるとともに、袋詰めセメントの流通を好適に一元管理することができる。
【００２０】
また、セメント袋詰め車輌に備える携帯端末は、袋詰めセメントの納品を入力することで代金決済の情報を管理本部のコンピュータに伝えることで、従来の紙伝票での手間と時間の掛かる決済処理に代わり、購入希望者と管理本部との間でオンラインによる即時決済も可能となり、好適な販売管理が実現できるものである。
【００２１】
また、セメント袋詰め車輌には、バラセメント収納部からのセメントを自動袋詰手段へ送出する他、車輌外部に送出するための切換手段を備えてなることで、自動袋詰手段でバラセメントを袋詰めするのみならず、バラセメントのまま納品することができ、さらには作業終了後にバラセメント収納部内に残留したバラセメントをきれいに排出した上で、次回の納品の前に新しいバラセメントを積載するということもできるものである。
【図面の簡単な説明】
【図１】  本発明のセメント流通システムのシステム図である。
【図２】  本発明のセメント流通システムに用いるセメント袋詰め車輌の説明図である。
【図３】  本発明のセメント流通システムに用いるセメント袋詰め車輌の他の実施例を示す説明図である。
【符号の説明】
１  セメント袋詰め車輌
２  バラセメント収納部
３  自動袋詰機
４  タンク
５  セメント袋詰め車輌
６  ホース
７  切換手段
【図１】
0003799547.tif 000002
【図２】
0003799547.tif 000003
【図３】
0003799547.tif 000004